(57)【要約】 【課題】タワー式駐車場を運用する管理者または管理システムが入居者の出庫時間を予めモニタリングして待機順番によって待機者がタワー式駐車場に来る前に出庫準備をすることができるようし、入居者つまり待機者も本人が駐車したタワー式駐車場の状況を正確にモニタリングして、本人が出庫する前に予め出庫待機をタワー式駐車場の管理者またはシステムに知らせて待機時間なしに正確に本人の車の出庫時間に合わせてタワー式駐車場に到着することができるようにする駐車システムの車両出庫管理方法を提供すること。【解決手段】タワー式駐車場の外部に設置される駐車情報表示端末機と、前記駐車情報表示端末機とデータ通信が可能な駐車管理情報処理装置とを備えた駐車システムの車両出庫管理方法において、前記駐車管理情報処理装置が前記駐車情報表示端末機から前記タワー式駐車場の出入口に停車された車両のＲＦカードによって認識された当該車両情報を受信する段階と、前記駐車管理情報処理装置が前記タワー式駐車場に駐車された車の顧客端末機から出庫待機予約情報を受信する段階と、前記駐車管理情報処理装置が出庫待機予約情報を受信した順序と、出庫予約された時間に応じて前記タワー式駐車場に駐車された車の出庫待機順番を設定する段階と、前記駐車管理情報処理装置が前記設定された出庫待機順番と前記車両情報を利用して、第１出庫待機情報を生成する段階と、前記駐車管理情報処理装置が前記生成された第１出庫待機情報を前記駐車情報表示端末機に通知する段階と、を含む駐車システムの車両出庫管理方法。【選択図】図１
2017503252.tif 000002
【特許請求の範囲】
【請求項１】
タワー式駐車場の外部に設置される駐車情報表示端末機と、前記駐車情報表示端末機とデータ通信が可能な駐車管理情報処理装置とを備えた駐車システムの車両出庫管理方法において、
前記駐車管理情報処理装置が前記駐車情報表示端末機から前記タワー式駐車場の出入口に停車された車両のＲＦカードによって認識された当該車両情報を受信する段階と、
前記駐車管理情報処理装置が前記タワー式駐車場に駐車された車の顧客端末機から出庫待機予約情報を受信する段階と、
前記駐車管理情報処理装置が出庫待機予約情報を受信した順序と、出庫予約された時間に応じて前記タワー式駐車場に駐車された車の出庫待機順番を設定する段階と、
前記駐車管理情報処理装置が前記設定された出庫待機順番と前記車両情報を利用して、第１出庫待機情報を生成する段階と、
前記駐車管理情報処理装置が前記生成された第１出庫待機情報を前記駐車情報表示端末機に通知する段階と、を含む駐車システムの車両出庫管理方法。
【請求項２】
前記駐車管理情報処理装置が前記タワー式駐車場から出庫された車両のＲＦカードから認識したＲＦカードの車両情報を前記駐車情報表示端末機から受信して前記第１出庫待機情報から削除し、該車両情報が削除された第１出庫待機情報を再生成して前記駐車情報表示端末機に通知する段階をさらに含むことを特徴とする請求項１に記載の駐車システムの車両出庫管理方法。
【請求項３】
前記第１出庫待機情報は、現在の時刻、出庫待機順番、車両番号、世帯号数、出庫予約された時間情報、出庫予想所要時間情報を含むことを特徴とする請求項１に記載の駐車システムの車両出庫管理方法。
【請求項４】
前記駐車管理情報処理装置が、前記設定された出庫待機順番と前記車両情報を利用して、第２出庫待機情報を生成して前記顧客端末機に通知し、前記駐車管理情報処理装置が前記タワー式駐車場から出庫された車のＲＦカードから認識したＲＦカードの車両情報を前記駐車情報表示端末機から受信して前記第２出庫待機情報で削除し、該車両情報が削除された第２出庫待機情報を再生成して前記顧客端末機に通知する段階をさらに含むことを特徴とする請求項１に記載の駐車システムの車両出庫管理方法。
【請求項５】
前記第２出庫待機情報は、顧客の車両番号、この顧客の車両が駐車された駐車場の場所、タワー式駐車場の総出庫待機数、この顧客の出庫順番情報、出庫予想所要時間情報を含むことを特徴とする請求項４に記載の駐車システムの車両出庫管理方法。
【請求項６】
駐車システムを構成する各要素と通信インターフェース機能を実行して、受信される入出庫の予約情報に基づいて入出庫関連情報を登録、更新、削除する一連の管理動作を実行して、入庫と出庫予約機能を提供する駐車管理サーバー装置と、
駐車施設に対する入庫または出庫の使用者の予約情報をアプリやウェブを介して前記駐車管理サーバー装置に提供する顧客端末機と、
予約時間になると入庫または出庫要請を前記駐車管理サーバー装置から受信し、入庫または出庫施行による入庫開始メッセージまたは出庫開始メッセージを前記駐車管理サーバー装置に送信して、駐車管理員が出庫及び入庫準備をすることができるようにする駐車管理員端末機と、
使用者と駐車管理の登録及び解除を行い、駐車施設に対する電話予約や訪問予約を介して入力された使用者の予約情報を前記駐車管理サーバー装置に提供し、駐車管理システムを制御及び監視するための運用情報処理装置と、
前記駐車管理サーバー装置の制御で駐車機械設備単位ごとに、入庫及び出庫状態と通知メッセージを出力するための単位設備ディスプレイ装置と、
前記駐車管理サーバー装置の制御で複数の駐車機械設備で構成される場合、各機械施設の入庫及び出庫状態を入庫対象者に通知するための駐車システムディスプレイ装置とを含む駐車システムの車両出庫管理システム。
【請求項７】
前記顧客端末機は、ログイン状態で駐車管理サーバー装置に車の入出庫関連情報を要請し、
前記駐車管理サーバー装置は予約者の車の状態を確認して、入庫状態で予約されていないことを確認した後予約可能な時間リストを送信し、
前記顧客端末機は予約時間リストを予約者に提供し、特定の予約時間を受けて出庫予約要請を前記駐車管理サーバー装置に送信し、
前記駐車管理サーバー装置は、受信した予約時間を予約状態に設定し、出庫予約結果を前記駐車管理員端末機、前記運用情報処理装置、前記ディスプレイ装置に送信し、予約時間になると、前記駐車管理員端末機に出庫要請を送信し、
前記駐車管理員端末機は、出庫施行による出庫開始メッセージを前記駐車管理サーバー装置に送信し、
前記駐車管理サーバー装置は、顧客端末機に出庫が始まったことを知らせるメッセージを送信し、
前記駐車管理員端末機は、出庫が完了された場合、出庫完了状態を前記駐車管理サーバー装置に通知し（出力状態を更新し）、
前記駐車管理サーバー装置は、出庫完了有無に応じて出庫状態を変更し、出庫未実行時、顧客端末機に予約が終了されたことを知らせ、出庫の実行有無に関係なく、予約時間が終了された場合、前記運用情報処理装置、前記ディスプレイ装置に出庫完了メッセージを送信することを特徴とする請求項６に記載の駐車システムの車両出庫管理システム。
【請求項８】
前記駐車管理サーバー装置は、
前記選択した時間を予約状態に設定した後、予約時間から設定時間前に告知するためのタイマーを設定して、出庫予約応答メッセージを前記顧客端末機に送信し、前記タイマーの設定時間になると、前記顧客端末機に出庫から設定時間前であることを知らせるメッセージを送信することを特徴とする請求項７に記載の駐車システムの車両出庫管理システム。
【請求項９】
前記顧客端末機は、ログイン状態で車の入出庫関連情報を前記駐車管理サーバー装置に要請し、
前記駐車管理サーバー装置は予約者の車の状態を確認して出庫予約がされていることを確認した後予約情報を前記顧客端末機に送信し、
前記顧客端末機は予約者に予約をキャンセルする理由を受けて、前記駐車管理サーバー装置に送信し、
前記駐車管理サーバー装置は、キャンセルした予約時間と資源を再利用するために返還し、結果を前記顧客端末機に送信し、予約のキャンセルによる入出庫予約状態を前記駐車管理員端末機、前記運用情報処理装置、前記ディスプレイ装置に送信することを特徴とする請求項６または７に記載の駐車システムの車両出庫管理システム。
【請求項１０】
前記顧客端末機は、ログイン状態で車の入出庫関連情報を前記駐車管理サーバー装置に要請し、
前記駐車管理サーバー装置は予約者の車の状態を確認して出庫状態で予約がされていないことを確認した後、駐車可能な施設別予約時間リストを前記顧客端末機に送信し、
前記顧客端末機は、駐車施設別予約時間リストを予約者に提供し、施設及び特定の予約時間を入力して入庫予約要請を前記駐車管理サーバー装置に送信し、
前記駐車管理サーバー装置は、送信された時間を予約状態に設定し、入庫予約結果を前記駐車管理員端末機、前記運用情報処理装置、前記ディスプレイ装置に送信し、予約時間になると、前記顧客端末機に入庫開始を知らせ、前記駐車管理員端末機に入庫実施要請を送信し、
前記駐車管理員端末機は、入庫完了状態を前記駐車管理サーバー装置に送信し（出力状態を更新）、
前記駐車管理サーバー装置は、入庫完了有無によって入庫状態を変更し、入庫未実行時に、前記顧客端末機に予約が終了されたことを知らせ、入庫の実行有無に関係なく、予約時間が終了された場合、前記運用情報処理装置、前記ディスプレイ装置に出庫完了メッセージを送信することを特徴とする請求項６に記載の駐車システムの車両出庫管理システム。
【請求項１１】
前記駐車管理サーバー装置は、前記選択した時間を予約状態に設定した後、予約時間から設定時間の前に告知するためのタイマーを設定し、その後、入庫予約応答メッセージを顧客端末機に送信し、前記タイマーの設定時間になると、前記顧客端末機に入庫時間から設定時間前であることを知らせるメッセージを送信することを特徴とする請求項１０に記載の駐車システムの車両出庫管理システム。
【請求項１２】
前記顧客端末機は、ログイン状態で車の入出庫関連情報を前記駐車管理サーバー装置に要請し、
前記駐車管理サーバー装置は予約者の車の状態を確認して入庫予約がされていることを確認した後予約情報を前記顧客端末機に送信し、
前記顧客端末機は予約者に予約をキャンセルする理由を受けて、前記駐車管理サーバー装置に送信し、
前記駐車管理サーバー装置は、キャンセルされた予約時間と資源を再利用するために返還し、結果を前記顧客端末機に送信し、予約のキャンセルによる入出庫予約状態を前記駐車管理員端末機、前記運用情報処理装置、前記ディスプレイ装置に送信することを特徴とする請求項６または１０に記載の駐車システムの車両出庫管理システム。
【請求項１３】
前記運用情報装置は、ログイン状態で車の入出庫関連情報を前記駐車管理サーバー装置に要請し、
前記駐車管理サーバー装置は予約者の車の状態を確認して入庫状態で予約がされていないことを確認した後予約時間リストを送信し、
前記運用情報処理装置は、予約時間リストを予約者に提供し、特定の予約時間を受けて出庫予約要請を前記駐車管理サーバー装置に送信し、
前記駐車管理サーバー装置は、送信された時間を予約状態に設定し、出庫予約結果を前記駐車管理員端末機、前記ディスプレイ装置に送信し、予約時間になると、前記駐車管理員端末機に出庫要請を送信し、
前記駐車管理員端末機は、出庫施行による出庫開始メッセージを駐車管理サーバー装置に送信し、
前記駐車管理サーバー装置は、前記運用情報処理装置に出庫が開始されたことを知らせるメッセージを送信して運営者が予約者に出庫が開始されたことを伝達するようにし、
前記駐車管理員端末機は、出庫完了状態を前記駐車管理サーバー装置に送信し（出力状態を更新）、
前記駐車管理サーバー装置は、出庫完了有無によって、出庫状態を変更し、出庫未実行時に、前記運用情報処理装置に予約が終了されたことを知らせ、出庫の実行有無に関係なく、予約時間が終了された場合、前記運用情報処理装置、前記ディスプレイ装置に出庫完了メッセージを送信することを特徴とする請求項６に記載の駐車システムの車両出庫管理システム。
【請求項１４】
前記駐車管理サーバー装置は、選択した時間を予約状態に設定した後、予約時間から設定時間の前に告知するためのタイマーを設定した後、出庫予約応答メッセージを前記顧客端末機に送信し、前記タイマー設定時間になると、前記運用情報処理装置に出庫時から設定時間前であることを通知するメッセージを送信することを特徴とする請求項１３に記載の駐車システムの車両出庫管理システム。
【請求項１５】
前記運用情報処理装置は、ログイン状態で車の入出庫関連情報を前記駐車管理サーバー装置に要請し、
前記駐車管理サーバー装置は予約者の車の状態を確認して出庫予約がされていることを確認した後予約情報を前記運用情報処理装置に送信し、
前記運用情報処理装置は、予約者に予約をキャンセルする理由を受けて、前記駐車管理サーバー装置に送信し、
前記駐車管理サーバー装置は、キャンセルした予約時間と資源を再利用するために返還し、結果を前記運用情報処理装置に送信し、予約のキャンセルによる入出庫の予約状態を前記駐車管理員端末機、前記運用情報処理装置、前記ディスプレイ装置に送信することを特徴とする請求項６または１３に記載の駐車システムの車両出庫管理システム。
【請求項１６】
前記運用情報処理装置は、ログイン状態で車の入出庫関連情報を前記駐車管理サーバー装置に要請し、
前記駐車管理サーバー装置は予約者の車の状態を確認して出庫状態で予約されていないことを確認した後、駐車可能な施設別予約時間リストを前記運用情報処理装置に送信し、
前記運用情報処理装置は、駐車施設別予約時間リストを予約者に提供し、施設や特定の予約時間を受けて入庫予約要請を前記駐車管理サーバー装置に送信し、
前記駐車管理サーバー装置は、選択した時間を予約状態に設定し、入庫予約結果を前記駐車管理員端末機、前記運用情報処理装置、前記ディスプレイ装置に送信し、予約時間になると、前記顧客端末機に入庫開始を知らせ、前記駐車管理員端末機に入庫実施要請を送信して予約者に入庫を実行することを伝達するようにし、
前記駐車管理員端末機は、入庫完了状態を前記駐車管理サーバーデバイスに送信し（出力状態を更新）、
前記駐車管理サーバー装置は、入庫完了有無によって入庫状態を変更し、入庫未実行時、前記運用情報処理装置に予約が終了されたことを知らせ、入庫の実行有無に関係なく、予約時間が終了された場合、前記運用情報処理装置、前記ディスプレイ装置に出庫完了メッセージを送信することを特徴とする請求項６に記載の駐車システムの車両出庫管理システム。
【請求項１７】
前記駐車管理サーバー装置は、前記選択した時間を予約状態に設定した後、予約時間から設定時間の前に告知するためのタイマーを設定し、その後、入庫予約応答メッセージを前記運用情報処理装置に送信し、前記タイマー設定時間になると、前記運用情報処理装置に入庫時間から設定時間前であることを知らせるメッセージを送信することを特徴とする請求項１６に記載の駐車システムの車両出庫管理システム。
【請求項１８】
前記運用情報処理装置は、ログイン状態で車の入出庫関連情報を前記駐車管理サーバー装置に要請し、
前記駐車管理サーバー装置は予約者の車の状態を確認して入庫予約がされていることを確認した後予約情報を前記運用情報処理装置に送信し、
前記運用情報処理装置は、予約者に予約をキャンセルする理由を受けて前記駐車管理サーバー装置に送信し、
前記駐車管理サーバー装置は、キャンセルした予約時間と資源を再利用するために返還し、結果を前記運用情報処理装置に送信し、予約のキャンセルによる入出庫の予約状態を前記駐車管理員端末機、前記運用情報処理装置、前記ディスプレイ装置に送信することを特徴とする請求項６または１６に記載の駐車システムの車両出庫管理システム。
【請求項１９】
前記駐車システムの構成要素装置で動作するアプリの配布と更新機能を提供するためのアプリ配布サーバーをさらに含むことを特徴とする請求項６に記載の駐車システムの車両出庫管理システム。
【発明の詳細な説明】
【技術分野】
【０００１】
本発明は、駐車システムの車両出庫管理方法に関するもので、より詳細には、タワー式駐車場を運用する管理者または管理システムが入居者の出庫時間を予めモニタリングして待機順番に応じて待機者がタワー式駐車場に来る前に出庫準備をすることができるようにし、入居者つまり待機者また本人が駐車したタワー式駐車場の状況を正確にモニタリングして、本人が出庫する前に予め出庫待機をタワー式駐車場の管理者またはシステムに知らせて待機時間なしに正確に本人の車の出庫時間に合わせてタワー式駐車場に到着することができるようにすることにより、機械式タワー式駐車場の不便を解消する駐車システムの車両出庫管理方法に関するものである。
【背景技術】
【０００２】
最近、都市型生活住宅やオフィスビルがたくさん建てられている。様々な便宜設備は非常に良くなったが、駐車スペースの不足はやはり解決しにくい問題である。
【０００３】
そこで、狭い面積にたくさんの駐車が可能なタワー式駐車場をたくさん設置している。
【０００４】
しかし、機械式タワー式駐車場も問題を抱えているため、使用者が拒否感を持ってよく使用しない。
【０００５】
その問題点は、出庫時に１分〜２分程度の時間がかかり、待機時間が発生する。
【０００６】
特に、人口の流動の多い出勤時間にはたくさんの人々が同じ時間帯に集中し、待機時間が非常に長くなって、迅速な出庫が行われず、大変不便である。
【０００７】
根本的に、機械式タワー式駐車場の特徴のため、出庫時間が長くなることもあるが、タワー式駐車場を管理する管理者または管理システムと入居者との間が約束など全くないため、出庫時間が遅延され、また、入居者はタワー式駐車場の出庫状態を全くモニタリングすることができないため、様々な不便な状況が発生する。
【０００８】
そのため、外部で長い時間待たなければならない場合が発生し、また、たくさんの待機者により周辺が混雑になって車両の運行に邪魔になり、人命損失が生じることもある。
【発明の概要】
【発明が解決しようとする課題】
【０００９】
本発明は、上述した問題点を解決するために開発されたもので、タワー式駐車場を運用する管理者または管理システムが入居者の出庫時間を予めモニタリングして待機順番によって待機者がタワー式駐車場に来る前に出庫準備をすることができるようし、入居者つまり待機者も本人が駐車したタワー式駐車場の状況を正確にモニタリングして、本人が出庫する前に予め出庫待機をタワー式駐車場の管理者またはシステムに知らせて待機時間なしに正確に本人の車の出庫時間に合わせてタワー式駐車場に到着することができるようにする駐車システムの車両出庫管理方法に関するものである。
【課題を解決するための手段】
【００１０】
上記目的を達するために、タワー式駐車場の外部に設置される駐車情報表示端末機と、上記駐車情報表示端末機とデータ通信が可能な駐車管理情報処理装置とを備えた駐車システムの車両出庫管理方法において、上記駐車管理情報処理装置が上記駐車情報表示端末機から上記タワー式駐車場の出入口に停車された車両のＲＦカードによって認識された当該車両情報を受信する段階と、上記駐車管理情報処理装置がタワー式駐車場に駐車された車の顧客端末機から出庫待機予約情報を受信する段階と、上記駐車管理情報処理装置が出庫待機予約情報を受信した順序と、出庫予約された時間に応じて上記タワー式駐車場に駐車された車の出庫待機順番を設定する段階と、上記駐車管理情報処理装置が上記設定された出庫待機順番と上記車両情報を利用して、出庫待機情報を生成する段階と、上記駐車管理情報処理装置が上記生成された出庫待機情報を上記顧客端末機または上記駐車情報表示端末機に通知する段階とを含むことを特徴とする。
【００１１】
好ましくは、上記駐車管理情報処理装置が上記タワー式駐車場から出庫された車両のＲＦカードから認識したＲＦカードの車両情報を上記駐車情報表示端末機から受信して上記出庫待機情報から削除し、該車両情報が削除された出庫待機情報を再生成して上記顧客端末機または上記駐車情報表示端末機に通知する段階をさらに含むことを特徴とする。
【００１２】
また、上記出庫待機情報は、現在の時刻、出庫待機順番、車両番号、世帯号数、出庫予約された時間情報、出庫予想所要時間情報を含むことを特徴とする。
【００１３】
好ましくは、上記駐車管理情報処理装置が、上記設定された出庫待機順番と上記車両情報を利用して、第２出庫待機情報を生成して上記顧客端末機に通知し、上記駐車管理情報処理装置が上記タワー式駐車場から出庫された車のＲＦカードから認識したＲＦカードの車両情報を上記駐車情報表示端末機から受信して上記第２出庫待機情報で削除し、該車両情報が削除された第２出庫待機情報を再生成して上記顧客端末機に通知する段階をさらに含むことを特徴とする。
【００１４】
また、上記第２出庫待機情報は、顧客の車両番号、この顧客の車両が駐車された駐車場の場所、タワー式駐車場の総出庫待機数、この顧客の出庫順番情報、出庫予想所要時間情報を含むことを特徴とする。
【００１５】
上記目的を達するためのまた他の本発明による駐車システムの車両出庫管理システムは、駐車システムを構成する各要素と通信インターフェース機能を実行して、受信される入出庫の予約情報に基づいて入出庫関連情報を登録、更新、削除する一連の管理動作を実行して、入庫と出庫予約機能を提供する駐車管理サーバー装置と、駐車施設に対する入庫または出庫の使用者の予約情報をアプリやウェブを介して上記駐車管理サーバー装置に提供する顧客端末機と、予約時間になると入庫または出庫要請を上記駐車管理サーバー装置から受信し、入庫または出庫施行による入庫開始メッセージまたは出庫開始メッセージを上記駐車管理サーバー装置に送信して、駐車管理員が出庫及び入庫準備をすることができるようにする駐車管理員端末機と、使用者と駐車管理の登録及び解除を行い、駐車施設に対する電話予約や訪問予約を介して入力された使用者の予約情報を上記駐車管理サーバー装置に提供し、駐車管理システムを制御及び監視するための運用情報処理装置と、上記駐車管理サーバー装置の制御で駐車機械設備単位ごとに、入庫及び出庫状態と通知メッセージを出力するための単位設備ディスプレイ装置と、上記駐車管理サーバー装置の制御で複数の駐車機械設備で構成される場合、各機械施設の入庫及び出庫状態を入庫対象者に通知するための駐車システムディスプレイ装置とを含むことを特徴とする。
【００１６】
好ましくは、上記顧客端末機は、ログイン状態で駐車管理サーバー装置に車の入出庫関連情報を要請し、上記駐車管理サーバー装置は予約者の車の状態を確認して、入庫状態で予約されていないことを確認した後予約可能な時間リストを送信し、上記顧客端末機は予約時間リストを予約者に提供し、特定の予約時間を受けて出庫予約要請を駐車管理サーバー装置に送信し、上記駐車管理サーバー装置は、受信した予約時間を予約状態に設定し、出庫予約結果を上記駐車管理員端末機、上記運用情報処理装置、上記ディスプレイ装置に送信し、予約時間になると、上記駐車管理員端末機に出庫要請を送信し、上記駐車管理員端末機は、出庫施行による出庫開始メッセージを上記駐車管理サーバー装置に送信し、上記駐車管理サーバー装置は、顧客端末機に出庫が始まったことを知らせるメッセージを送信し、上記駐車管理員端末機は、出庫が完了された場合、出庫完了状態を上記駐車管理サーバー装置に通知し（出力状態を更新し）、上記駐車管理サーバー装置は、出庫完了有無に応じて出庫状態を変更し、出庫未実行時、顧客端末機に予約が終了されたことを知らせ、出庫の実行有無に関係なく、予約時間が終了された場合、上記運用情報処理装置、上記ディスプレイ装置に出庫完了メッセージを送信することを特徴とする。
【００１７】
また、上記駐車管理サーバー装置は、上記選択した時間を予約状態に設定した後、予約時間から設定時間前に告知するためのタイマーを設定して、出庫予約応答メッセージを上記顧客端末機に送信し、上記タイマーの設定時間になると、上記顧客端末機に出庫から設定時間前であることを知らせるメッセージを送信することを特徴とする。
【００１８】
好ましくは、上記顧客端末機は、ログイン状態で車の入出庫関連情報を上記駐車管理サーバー装置に要請し、上記駐車管理サーバー装置は予約者の車の状態を確認して出庫予約がされていることを確認した後予約情報を上記顧客端末機に送信し、上記顧客端末機は予約者に予約をキャンセルする理由を受けて、上記駐車管理サーバー装置に送信し、上記駐車管理サーバー装置は、キャンセルした予約時間と資源を再利用するために返還し、結果を顧客端末機に送信し、予約のキャンセルによる入出庫予約状態を上記駐車管理員端末機、上記運用情報処理装置、上記ディスプレイ装置に送信することを特徴とする。
【００１９】
また、上記顧客端末機は、ログイン状態で車の入出庫関連情報を上記駐車管理サーバー装置に要請し、上記駐車管理サーバー装置は予約者の車の状態を確認して出庫状態で予約がされていないことを確認した後、駐車可能な施設別予約時間リストを上記顧客端末機に送信し、上記顧客端末機は、駐車施設別予約時間リストを予約者に提供し、施設及び特定の予約時間を入力して入庫予約要請を上記駐車管理サーバー装置に送信し、上記駐車管理サーバー装置は、送信された時間を予約状態に設定し、入庫予約結果を上記駐車管理員端末機、上記運用情報処理装置、上記ディスプレイ装置に送信し、予約時間になると、上記顧客端末機に入庫開始を知らせ、上記駐車管理員端末機に入庫実施要請を送信し、上記駐車管理員端末機は、入庫完了状態を上記駐車管理サーバー装置に送信し（出力状態を更新）、上記駐車管理サーバー装置は、入庫完了有無によって入庫状態を変更し、入庫未実行時に、上記顧客端末機に予約が終了されたことを知らせ、入庫の実行有無に関係なく、予約時間が終了された場合、上記運用情報処理装置、上記ディスプレイ装置に出庫完了メッセージを送信することを特徴とする。
【００２０】
好ましくは、上記駐車管理サーバー装置は、上記選択した時間を予約状態に設定した後、予約時間から設定時間の前に告知するためのタイマーを設定し、その後、入庫予約応答メッセージを顧客端末機に送信し、上記タイマーの設定時間になると、上記顧客端末機に入庫時間から設定時間前であることを知らせるメッセージを送信することを特徴とする。
【００２１】
また、上記顧客端末機は、ログイン状態で車の入出庫関連情報を上記駐車管理サーバー装置に要請し、上記駐車管理サーバー装置は予約者の車の状態を確認して入庫予約がされていることを確認した後予約情報を上記顧客端末機に送信し、上記顧客端末機は予約者に予約をキャンセルする理由を受けて、上記駐車管理サーバー装置に送信し、上記駐車管理サーバー装置は、キャンセルされた予約時間と資源を再利用するために返還し、結果を上記顧客端末機に送信し、予約のキャンセルによる入出庫予約状態を上記駐車管理員端末機、上記運用情報処理装置、上記ディスプレイ装置に送信することを特徴とする。
【００２２】
好ましくは、上記運用情報装置は、ログイン状態で車の入出庫関連情報を上記駐車管理サーバー装置に要請し、上記駐車管理サーバー装置は予約者の車の状態を確認して入庫状態で予約がされていないことを確認した後予約時間リストを送信し、上記運用情報処理装置は、予約時間リストを予約者に提供し、特定の予約時間を受けて出庫予約要請を上記駐車管理サーバー装置に送信し、上記駐車管理サーバー装置は、送信された時間を予約状態に設定し、出庫予約結果を上記駐車管理員端末機、上記ディスプレイ装置に送信し、予約時間になると、上記駐車管理員端末機に出庫要請を送信し、上記駐車管理員端末機は、出庫施行による出庫開始メッセージを駐車管理サーバー装置に送信し、上記駐車管理サーバー装置は、上記運用情報処理装置に出庫が開始されたことを知らせるメッセージを送信して運営者が予約者に出庫が開始されたことを伝達するようにし、上記駐車管理員端末機は、出庫完了状態を上記駐車管理サーバー装置に送信し（出力状態を更新）、上記駐車管理サーバー装置は、出庫完了有無によって、出庫状態を変更し、出庫未実行時に、上記運用情報処理装置に予約が終了されたことを知らせ、出庫の実行有無に関係なく、予約時間が終了された場合、上記運用情報処理装置、上記ディスプレイ装置に出庫完了メッセージを送信することを特徴とする。
【００２３】
また、上記駐車管理サーバー装置は選択した時間を予約状態に設定した後、予約時間から設定時間の前に告知するためのタイマーを設定した後、出庫予約応答メッセージを上記顧客端末機に送信し、上記タイマー設定時間になると、上記運用情報処理装置に出庫時から設定時間前であることを通知するメッセージを送信することを特徴とする。
【００２４】
好ましくは、上記運用情報処理装置は、ログイン状態で車の入出庫関連情報を上記駐車管理サーバー装置に要請し、上記駐車管理サーバー装置は予約者の車の状態を確認して出庫予約がされていることを確認した後予約情報を上記運用情報処理装置に送信し、上記運用情報処理装置は、予約者に予約をキャンセルする理由を受けて、上記駐車管理サーバー装置に送信し、上記駐車管理サーバー装置は、キャンセルした予約時間と資源を再利用するために返還し、結果を上記運用情報処理装置に送信し、予約のキャンセルによる入出庫の予約状態を上記駐車管理員端末機、上記運用情報処理装置、上記ディスプレイ装置に送信することを特徴とする。
【００２５】
また、上記運用情報処理装置は、ログイン状態で車の入出庫関連情報を上記駐車管理サーバー装置に要請し、上記駐車管理サーバー装置は予約者の車の状態を確認して出庫状態で予約されていないことを確認した後、駐車可能な施設別予約時間リストを上記運用情報処理装置に送信し、上記運用情報処理装置は、駐車施設別予約時間リストを予約者に提供し、施設や特定の予約時間を受けて入庫予約要請を上記駐車管理サーバー装置に送信し、上記駐車管理サーバー装置は、選択した時間を予約状態に設定し、入庫予約結果を上記駐車管理員端末機、上記運用情報処理装置、上記ディスプレイ装置に送信し、予約時間になると、上記顧客端末機に入庫開始を知らせ、上記駐車管理員端末機に入庫実施要請を送信して予約者に入庫を実行することを伝達するようにし、上記駐車管理員端末機は、入庫完了状態を上記駐車管理サーバーデバイスに送信し（出力状態を更新）、上記駐車管理サーバー装置は、入庫完了有無によって入庫状態を変更し、入庫未実行時、上記運用情報処理装置に予約が終了されたことを知らせ、入庫の実行有無に関係なく、予約時間が終了された場合、上記運用情報処理装置、上記ディスプレイ装置に出庫完了メッセージを送信することを特徴とする。
【００２６】
好ましくは、上記駐車管理サーバー装置は、上記選択した時間を予約状態に設定した後、予約時間から設定時間の前に告知するためのタイマーを設定し、その後、入庫予約応答メッセージを上記運用情報処理装置に送信し、上記タイマー設定時間になると、上記運用情報処理装置に入庫時間から設定時間前であることを知らせるメッセージを送信することを特徴とする。
【００２７】
また、上記運用情報処理装置は、ログイン状態で車の入出庫関連情報を上記駐車管理サーバー装置に要請し、上記駐車管理サーバー装置は予約者の車の状態を確認して入庫予約がされていることを確認した後予約情報を上記運用情報処理装置に送信し、上記運用情報処理装置は、予約者に予約をキャンセルする理由を受けて上記駐車管理サーバー装置に送信し、上記駐車管理サーバー装置は、キャンセルした予約時間と資源を再利用するために返還し、結果を上記運用情報処理装置に送信し、予約のキャンセルによる入出庫の予約状態を上記駐車管理員端末機、上記運用情報処理装置、上記ディスプレイ装置に送信することを特徴とする。
【００２８】
好ましくは、上記駐車システムの構成要素装置で動作するアプリの配布と更新機能を提供するためのアプリ配布サーバーをさらに含むことを特徴とする。
【発明の効果】
【００２９】
本発明によれば、一般に、１〜２人の居住者が多くなるにつれて、オフィスビルや都市型生活住宅の需要が増えている。それにより、供給も増えているが、問題は、駐車スペースが確保できなくて、入居者に大きな不便を与えるということである。これは、建築物の特性上、小さい面積に多くの世帯数が住居することによる問題である。そこで、狭いスペースに比較的たくさんの駐車スペースを確保することができる機械式タワー式駐車場を設置するが、ここでもう一つの問題が発生する。つまり、機械式タワー式駐車場の特性上、管理及び使用に不便な問題点が生じる。本技術によりこのような問題点が補完されれば建築主は地下と地上の自走式駐車スペースを確保する工事よりも４〜５倍程度の低価格で駐車スペースを確保することができる機械式タワー式駐車場を設置して工事費用を減少することができ、機械式タワー式駐車場は、共有面積に含まれないことから、分譲価格が低くなる効果も奏する。
【００３０】
また、外部環境に車が露出される場合、車の老朽化が早くなる一方、機械式タワー式駐車場に駐車をすれば、車の管理にもたくさん役に立ち、車のテロや盗難の問題も解決され、タワー式駐車場の管理に必要な人力も減らすことができて、管理費用の節減にも非常に役に立つ。
【００３１】
また、媒体のベースがスマートフォンであるため、使用者もスマートフォンを介して入力及び認識し、管理者もスマートフォンを介して入力及び認識することができる。別途にタワー式駐車場に入力及び認識することができるモニターが設置されているが、管理者もスマートフォンを介して入力及び認識をすることができるので、タワー式駐車場に隣接して常に管理をしなくても、使用者の入力をスマートフォンを介して認識することができる。現在タワー式駐車場が設置された場所では、安全の問題から駐車管理者が駐車や出庫を統制するが、これは人件費が上昇し、それにより、管理費が上昇する問題に繋がるため、ほとんど警備が駐車場の管理も一緒にしている。この部分で問題となるのは、警備本来の業務のためにタワー式駐車場に隣接している警備室を離れてパトロールやその他の業務をすることも多いが、このような場合、使用者が出庫を予約したり、または現場に来て出庫をしようとする場合、警備を待ったり携帯電話に電話をして出庫をする場合が生じる。タワー式駐車場の特性上、待たなければならない部分があり、前述したような問題のために出庫及び入庫するのによりたくさんの時間がかかるのが現実である。しかし、本タワー式駐車場の出庫方法は、前述したように、管理者もスマートフォンを介して認識をすることができるので、使用者が予約を入力する瞬間、管理者はスマートフォンを介して認識して出庫及び入庫の準備をすることができる。
【図面の簡単な説明】
【００３２】
【図１】本発明に係る車両出庫管理システムを示す図である。
【図２】本発明に係る車両出庫管理方法を示すフローチャートである。
【図３】本発明に係る駐車情報表示端末機を通じて表示される出庫待機リストを例に挙げて示したＵＩ（ＵｓｅｒＩｎｔｅｒｆａｃｅ）例示図である。
【図４】本発明に係る駐車顧客端末機を介して表示される出庫待機予約情報を例に示したＵＩ例示図である。
【図５】本発明に係る駐車システムの車両出庫管理システムの構成を示す図である。
【図６】本発明に係る顧客端末機（アプリ、ウェブ）による出庫予約手続き動作を示す図である。
【図７】本発明に係る顧客端末機（アプリ、ウェブ）による出庫予約キャンセル手続き動作を示す図である。
【図８】本発明に係る顧客端末機（アプリ、ウェブ）による入庫予約手続き動作を示す図である。
【図９】本発明に係る顧客端末機（アプリ、ウェブ）による入庫予約キャンセル手続き動作を順次に示す図である。
【図１０】本発明に係る運用情報処理装置（電話予約、訪問予約）による出庫予約手続き動作を順次に示す図である。
【図１１】本発明に係る運用情報処理装置（電話予約、訪問予約）による出庫予約キャンセル手続き動作を順次に示す図である。
【図１２】本発明に係る運用情報処理装置（電話予約、訪問予約）による入庫予約手続き動作を順次に示す図である。
【図１３】本発明に係る運用情報処理装置（電話予約、訪問予約）を通じた入庫予約キャンセル手続き動作を示す図である。
【発明を実施するための形態】
【００３３】
以下、添付された図面を参照して本発明を説明する。
【００３４】
以下で説明される実施例は、本発明が属する技術分野において通常の知識を有する者が発明を容易に実施することができる程度に詳細に説明するためのものに過ぎなく、それにより本発明の保護範囲が限定されるのではない。
【００３５】
本発明を明確に説明するために、説明と関係ない部分は省略し、明細書全般において類似する部分には類似する符号を付ける。
【００３６】
明細書及び特許請求範囲の全体において、ある部分がある構成要素を含むとしたときに、これは特に反対される記載がない限り、他の構成要素を除外するのではなく、他の構成要素を含むことができることを意味する。
【００３７】
図１は、本発明に係る車両出庫管理システムを示す図である。
【００３８】
図１に示すように、本システムは、タワー式駐車場の外部に設置されて出庫待機現況をリアルタイム表示する駐車情報表示端末機１０１と、上記駐車情報表示端末機１０１とデータ通信が可能に有線または無線ネットワークで接続された駐車管理情報処理装置１０２と、顧客端末機１０３とを含む構造である。
【００３９】
ここで、駐車情報表示端末機１０１は、タワー式駐車場の外部に設置されて出庫待機現況をリアルタイムでモニタリングする装置で、タワー式駐車場の出入口に停車または出庫された各車両のＲＦカードを読み取るＲＦカードリーダーを備えて、停車または出庫された各車両のＲＦカードを認識して、その車両情報を駐車管理情報処理装置１０２に送信する。そして、上記駐車管理情報処理装置１０２から送信された出庫待機リストを利用して全世帯の出庫待機予約情報を表示し、この時、タワー式駐車場の管理者は、このような情報を見て予め出庫待機をし、入居者が家を出る前に予め予約された順番に出庫することができるようになる。上記タワー式駐車場の管理に用いられるＲＦカードは、住居地に出入りする際に用いられるＲＦカードと連動して用いることができる。
【００４０】
駐車管理情報処理装置１０２は、駐車情報表示端末機１０１から上記タワー式駐車場の出入口に停車した車両のＲＦカードによって認識された当該車両情報を受信し、タワー式駐車場に駐車された車の顧客端末機１０３から出庫待機予約情報を受信した後、出庫待機予約情報を受信した順序と出庫予約された時間に応じて上記タワー式駐車場に駐車された車の出庫待機順番を設定した後、上記設定された出庫待機順番と、上記車両情報を利用して出庫待機リスト（例えば、現在時間、出庫待機順番、車両番号、世帯号数、出庫予約された時間情報）即ち全世帯の出庫待機予約情報を生成して上記顧客端末機１０３または上記駐車情報表示端末機１０１に知らせる。この際、上記出庫待機リストまたは出庫待機予約情報は、管理者に送信するのと駐車顧客に送信するのを異なるように生成して送信することができる。具体的な例は、図３及び図４に示す通りである。
【００４１】
図２は本発明に係る車両出庫管理方法を示す図である。
【００４２】
図２に示すように、本発明は、まず、ＲＦカードが装着された車両がタワー式駐車場の出入口に停車すると、駐車情報表示端末機がＲＦカードの情報を認知して車両情報を駐車管理情報処理装置に伝達し（Ｓ２０１）、リアルタイムで駐車場の現況を把握する。
【００４３】
次に、上記駐車管理情報処理装置は、タワー式駐車場に駐車された車の顧客端末機から出庫待機予約情報を受信する（Ｓ２０２）。
【００４４】
次に、出庫待機予約情報を受信した順番と上記予約情報内の出庫予約された時間によって上記タワー式駐車場に駐車された車の出庫待機順番を設定する（Ｓ２０３）。
【００４５】
そして、上記設定された出庫待機順番と上記車両情報を利用して出庫待機リストを生成する（Ｓ２０４）。
【００４６】
上記出庫待機リストには、現在時刻、出庫待機順番、車両番号、世帯号数、出庫予約された時間情報、出庫所要時間情報などが含まれる。
【００４７】
このように生成された出庫待機リストは、上記顧客端末機又は上記駐車情報表示端末機に送信される（Ｓ２０５）。
【００４８】
そして、駐車情報表示端末機は送信された出庫待機リストを利用して全世帯の出庫待機予約情報を表示するが、この時、タワー式駐車場の管理者は、この情報を見て予め出庫待機をして入居者が家を出る前に予約されている順番に出庫することができるようになる。
【００４９】
一方、タワー式駐車場から車両が出庫された場合、上記駐車管理情報処理装置は、上記タワー式駐車場から出庫された車両のＲＦカードから認識したＲＦカードの車両情報を上記駐車情報表示端末機から受信し、上記出庫待機リストから削除し、その車両情報が削除された出庫待機リストを再生成して上記顧客端末機又は上記駐車情報表示端末機に知らせる。
【００５０】
または、出庫待機中の車両が出庫すると、駐車情報表示端末機のＲＦカードリーダーが車両に装着されたＲＦカードを読み取って出庫待機リストから自動的に削除することもできる。そして、この削除情報をインターネットを通じて駐車管理情報処理装置にリアルタイムで送信することができる。
【００５１】
一方、入居者は、顧客端末機（例えば、スマートフォン）の専用アプリや駐車管理ホームページにアクセスして、出庫待機車両の総数と本人の車の待機順番をリアルタイムでモニタリングすることができる。
【００５２】
その結果、各世帯の入居者は、上記情報を見てタワー式駐車場の状況を正確にモニタリングして、本人の車の出庫時間に正確に合わせて家を出ることになり、それにより、待機時間なしで、すべての世帯の入居者が順次に出庫を行うことができる。
【００５３】
その他、本発明は警備室や管理室の補助コンピュータを利用して駐車管理プログラムと連動したオフィスビルの管理プログラムにアクセスして、入居者にオフィスビルの管理に関する知らせ内容を掲示することができ、各世帯主の管理費も管理することができ、同時に入居者のスマートフォンアプリに知らせを送信することもできる。また、不在中の入居者に宅配便が到着した場合、管理者は、管理プログラムにアクセスして、入居者に宅配便の到着知らせをスマートフォンアプリに送信することができて、非常に便利になる。
【００５４】
図３は、本発明に係る駐車情報表示端末機を介して表示される出庫待機リスト、即ち、全世帯の出庫待機予約情報を例に示したＵＩ（Ｕｓｅｒ  Ｉｎｔｅｒｆａｃｅ）図であり、図４は、本発明に係る駐車顧客端末機（例えば、スマートフォン）を介して表示される出庫待機予約情報を例に示したＵＩ図である。
【００５５】
図３に示すように、本発明に係る駐車情報表示端末機を介して表示される出庫待機リストは、全世帯の出庫待機予約情報を示したもので、上記出庫待機リストには、現在時刻、出庫待機順番、車両番号、世帯号数、出庫予約された時間情報、出庫所要時間情報などが含まれる。その結果、タワー式駐車場の管理者は、これらの情報を見て予め出庫待機をして入居者が家を出る前に予約された順番に出庫を行うことができる。
【００５６】
そして、図４に示すように、駐車顧客端末機（例えば、スマートフォン）を介して駐車顧客に表示される出庫待機予約情報は、顧客の車両番号、顧客の車両が駐車された駐車場の場所（例えば、１号機）、タワー式駐車場の総出庫待機数（例えば、９台）、顧客の出庫順番（例えば、６番）情報などが含まれる。
【００５７】
図５は、本発明に係る駐車システムの車両出庫管理システムの構成を示す図である。
【００５８】
図５に示すように、本システムは、駐車管理サーバー装置５０１は、顧客端末機５０２、駐車管理員端末機５０３、運用情報処理装置５０４、単位設備ディスプレイ装置５０５、駐車システムディスプレイ装置５０６を含む構造である。
【００５９】
加えて、アプリ配布サーバー５０７をさらに含む構造である。
【００６０】
ここで、駐車管理サーバー装置５０１は、駐車システムを構成する各要素と通信インターフェース機能を実行して、顧客端末機５０２または運用情報処理装置５０４から受信される入出庫予約情報によって入出庫関連情報を登録、更新、削除する一連の管理動作を実行して、入庫と出庫予約機能を提供する。データベース処理機能（駐車顧客、バレット、運営者、管理者、駐車場、駐車構成要素、システム情報など）、駐車顧客の登録／変更／解除処理機能、バレットの登録／変更解除処理機能、運営者の変更／解除処理機能、駐車顧客／バレット／運営者／管理者のログイン／ログアウト処理機能、駐車スペースの管理機能、ディスプレイデバイスの登録／変更／解除処理機能、入／出庫予約処理機能、入／出庫予約キャンセル機能、駐車機械設備ディスプレイ出力メッセージの生成及び送信機能、駐車システムディスプレイ出力メッセージの生成及び送信機能、駐車顧客当て知らせメッセージの生成及び送信機能、バレット当て知らせメッセージの生成及び送信機能、バレット呼び出しメッセージの生成及び送信機能、駐車システム状態管理機能（構成要素別状態、故障／障害処理、設定など）、ウェブベースのアプリケーションのためのウェブサーバー機能、顧客端末機５０２、駐車管理員端末機５０３、運用情報処理装置５０４、ディスプレイ装置５０５、５０６との通信機能を提供する。
【００６１】
顧客端末機５０２は、駐車施設に対する入庫または出庫の使用者の予約情報をアプリやウェブを介して上記駐車管理サーバー装置５０１に提供するものである。予約者のログイン、ログアウト機能、出庫予約／キャンセル要請機能、入庫予約／キャンセル要請機能、入／出庫予約状態出力機能、入庫／出庫通知受信機能、システム通知受信機能、バレット呼び出し要請機能、設定機能（自動ログイン、通知機能Ｏｎ／Ｏｆｆ）、駐車管理サーバー装置５０１との通信機能、プログラムの更新機能を提供する。
【００６２】
駐車管理員端末機５０３は、予約時間の満了時に入庫または出庫要請を上記駐車管理サーバー装置５０１から受信し、入庫または出庫施行による入庫開始メッセージまたは出庫開始メッセージを上記駐車管理サーバー装置５０１に送信して駐車管理員が出庫及び駐車準備をすることができるようにするものである。バレットのログイン、ログアウト機能、出庫予約状態出力機能、入庫予約状態出力機能、バレット呼び出し受信機能、システム通知受信機能、設定機能（自動ログイン、通知機能Ｏｎ／Ｏｆｆ）、駐車管理サーバー装置５０１との通信機能、プログラムの更新機能を提供する。
【００６３】
運用情報処理装置５０４は、使用者と駐車管理の登録及び解除を行い、駐車施設に対する電話予約や訪問予約を通じて入力された使用者の予約情報を上記駐車管理サーバー装置５０１に提供し、駐車管理システムを制御及び監視するものである。運営者のログイン、ログアウト機能、入居者及び車両の登録／解除機能、バレットの登録／解除機能、出庫予約状態出力機能、入庫予約状態出力機能、駐車スペース状態出力機能、駐車顧客当てシステム知らせ送信機能、バレット当てシステム知らせ送信機能、システム設定機能（運用情報処理装置の設定）、システム管理機能（状態／故障／障害処理機能）、駐車管理サーバー装置５０１との通信機能、プログラムの更新機能を提供する。
【００６４】
単位設備ディスプレイ装置５０５は、上記駐車管理サーバー装置５０１の制御で駐車機械設備の単位別入庫及び出庫状態と通知メッセージを出力するためのものである。装置のログイン、ログアウト機能、その駐車機械設備に対する入／出庫予約状態出力機能、駐車管理サーバー装置５０１との通信機能、プログラムの更新機能を提供する。
【００６５】
駐車システムディスプレイ装置５０６は、上記駐車管理サーバー装置５０１の制御で複数の駐車機械設備で構成される場合、各機械施設の入庫及び出庫状態を入庫対象者に通知するためのものである。装置のログイン、ログアウト機能、すべての駐車機械設備に対する入／出庫予約状態出力機能、駐車管理サーバー装置５０１との通信機能、プログラムの更新機能を提供する。
【００６６】
アプリの配布サーバー５０７は、上記駐車システムの構成要素装置で動作するアプリの配布と更新機能を提供するものである。顧客端末機用プログラムの配布と更新機能、駐車管理員端末機用プログラムの配布と更新機能、運用情報処理装置用プログラムの更新機能、ディスプレイ装置用プログラムの更新機能を提供する。
【００６７】
図６は、本発明に係る顧客端末機（アプリ、ウェブ）による出庫予約手続き動作を示す図である。
【００６８】
図６に示すように、本発明は、まず、顧客端末機がログイン状態で駐車管理サーバー装置に車の入庫関連情報を要請し、上記駐車管理サーバー装置は予約者の車の状態を確認して入庫状態であり、予約がされていないことを確認した後予約時間リストを送信する。それで、上記顧客端末機は予約時間リストを予約者に提供し、特定の予約時間を受けて出庫予約要請を駐車管理サーバー装置に送信し、上記駐車管理サーバー装置は、受信された予約時間を予約状態に設定し、出庫予約結果を上記駐車管理員端末機、上記運用情報処理装置、上記ディスプレイ装置に送信し、予約時間になると、上記駐車管理員端末機に出庫要請を送信する。そして、上記駐車管理員端末機は、出庫施行による出庫開始メッセージを上記駐車管理サーバー装置に送信し、上記駐車管理サーバー装置は、顧客端末機に出庫を開始したことを知らせるメッセージを送信し、上記駐車管理員端末機は、出庫が完了された場合、出庫完了状態を上記駐車管理サーバー装置に知らせる（出力状態を更新し）。そして、上記駐車管理サーバー装置は、出庫完了有無によって出庫状態を変更し、出庫未実行時に顧客端末機に予約が終了されたことを知らせ、出庫の実行有無に関係なく、予約時間が終了された場合、上記運用情報処理装置、上記ディスプレイ装置に出庫完了メッセージを送信する。一方、上記駐車管理サーバーー装置は、上記選択された時間を予約状態に設定した後、予約時間から設定時間の前に告知するためのタイマーを設定し、出庫予約応答メッセージを上記顧客端末機に送信し、上記タイマーの設定時間になると、上記顧客端末機に出庫から設定時間前であることを知らせるメッセージを送信することができる。
【００６９】
図７は、本発明に係る顧客端末機（アプリ、ウェブ）による出庫予約キャンセル手続き動作を示す図である。
【００７０】
図７に示すように、本発明は、まず、顧客端末機がログイン状態で車両の入出庫関連情報を上記駐車管理サーバー装置に要請する。それで、上記駐車管理サーバー装置は予約者の車の状態を確認して出庫予約がされていることを確認した後、予約情報を上記顧客端末機に送信して、上記顧客端末機は予約者に予約をキャンセルする理由を受信して、上記駐車管理サーバー装置に送信する。そして、上記駐車管理サーバー装置は、キャンセルした予約時間と資源を再利用するために返還し、結果を顧客端末機に送信し、予約のキャンセルによる入出庫の予約状態を上記駐車管理員端末機、上記運用情報処理装置、上記ディスプレイデバイスに送信する。
【００７１】
図８は、本発明に係る顧客端末機（アプリ、ウェブ）による入庫予約手続き動作を示す図である。
【００７２】
図８に示すように、本発明は、まず、顧客端末機がログイン状態で車両の入出庫関連情報を上記駐車管理サーバー装置に要請し、上記駐車管理サーバー装置は予約者の車の状態を確認して出庫状態で予約がされていないことを確認した後、駐車可能な施設別に予約時間リストを上記顧客端末機に送信する。それで、上記顧客端末機は、駐車施設別予約時間リストを予約者に提供し、施設及び特定の予約時間を受信して入庫予約要請を上記駐車管理サーバー装置に送信し、上記駐車管理サーバー装置は受信された時間を予約状態に設定し、入庫予約結果を上記駐車管理員端末機、上記運用情報処理装置、上記ディスプレイ装置に送信し、予約時間になると、上記顧客端末機に入庫開始を知らせ、上記駐車管理員端末機に入庫実施要請を送信し、上記駐車管理員端末機は、入庫完了状態を上記駐車管理サーバー装置に送信する（出力状態を更新）。そして、上記駐車管理サーバー装置は、入庫完了の有無に応じて、入庫状態を変更し、入庫未実行時に、上記顧客端末機に予約が終了されたことを知らせ、入庫の実行有無に関係なく、予約時間が終了された場合、上記運用情報処理装置、上記ディスプレイ装置に出庫完了メッセージを送信する。一方、上記駐車管理サーバー装置は、上記選択した時間を予約状態に設定した後、予約時間から設定時間の前に告知するためのタイマーを設定し、その後、入庫予約応答メッセージを顧客端末機に送信して、上記タイマーの設定時間になると合、上記顧客端末機に入庫時間から設定時間前であることを知らせるメッセージを送信することができる。
【００７３】
図９は、本発明に係る顧客端末機（アプリ、ウェブ）による入庫予約のキャンセル手続き動作を順次に示す図である。
【００７４】
図９に示すように、本発明は、まず、顧客端末機がログイン状態で車両の入出庫関連情報を上記駐車管理サーバー装置に要請する。それで、上記駐車管理サーバー装置は予約者の車の状態を確認して入庫予約がされていることを確認した後予約情報を上記顧客端末機に送信し、上記顧客端末機は予約者に予約をキャンセルする理由を受けて、上記駐車管理サーバー装置に送信する。そして、上記駐車管理サーバー装置は、キャンセルされた予約時間と資源を再利用するために返還し、結果を上記顧客端末機に送信し、予約のキャンセルによる入出庫の予約状態を上記駐車管理員端末機、上記運用情報処理装置、上記ディスプレイデバイスに送信する。
【００７５】
図１０は、本発明に係る運用情報処理装置（電話予約、訪問予約）を介して出庫予約手続き動作を順次に示す図である。
【００７６】
図１０に示すように、本発明は、まず、運用情報処理装置がログイン状態で車両の入出庫関連情報を上記駐車管理サーバー装置に要請し、上記駐車管理サーバー装置は予約者の車の状態を確認して入庫状態で予約がされていないことを確認した後予約時間リストを送信する。それで、上記運用情報処理装置は、予約時間リストを予約者に提供し、特定の予約時間を受けて出庫予約要請を上記駐車管理サーバー装置に送信し、上記駐車管理サーバー装置は受信した時間を予約状態に設定し、出庫予約結果を上記駐車管理員端末機、上記ディスプレイ装置に送信し、予約時間になると、上記駐車管理員端末機に出庫要請を送信し、上記駐車管理員端末機は、出庫施行による出庫開始メッセージを駐車管理サーバー装置に送信し、上記駐車管理サーバー装置は、上記運用情報処理装置に出庫が開始されたことを知らせるメッセージを送信して、運営者が予約者に出庫が開始されたことを伝達するようにする。そして、上記駐車管理員端末機は、出庫完了状態を上記駐車管理サーバー装置に送信し（出力状態を更新）、上記駐車管理サーバー装置は、出庫完了有無に応じて、出庫状態を変更し、出庫未実行時に、上記運用情報処理装置に予約が終了されたことを知らせ、出庫の実行有無に関係なく、予約時間が終了された場合、上記運用情報処理装置、上記ディスプレイ装置に出庫完了メッセージを送信する。一方、上記駐車管理サーバー装置は、選択した時間を予約状態に設定した後、予約時間から設定時間の前に通知するためのタイマーを設定した後、出庫予約応答メッセージを上記顧客端末機に送信し、上記タイマー設定時間になると、上記運用情報処理装置に出庫時間から設定時間前であることを知らせるメッセージを送信することができる。
【００７７】
図１１は、本発明に係る運用情報処理装置（電話予約、訪問予約）を介して出庫予約キャンセル手続き動作を順次に示す図である。
【００７８】
図１１に示すように、本発明は、まず、運用情報処理装置がログイン状態で車両の入出庫関連情報を上記駐車管理サーバー装置に要請する。それで、上記駐車管理サーバー装置は予約者の車の状態を確認して出庫予約がされていることを確認した後予約情報を上記運用情報処理装置に送信し、上記運用情報処理装置は予約者に予約をキャンセルする理由を受けて上記駐車管理サーバー装置に送信し、上記駐車管理サーバー装置はキャンセルされた予約時間と資源を再利用するために返還し、結果を上記運用情報処理装置に送信し、予約のキャンセルによる入出庫の予約状態を上記駐車管理員端末機、上記運用情報処理装置、上記ディスプレイ装置に送信する。
【００７９】
図１２は、本発明に係る運用情報処理装置（電話予約、訪問予約）による入庫予約手続き動作を順次に示す図である。
【００８０】
図１２に示すように、本発明は、まず、運用情報処理装置がログイン状態で車両の入出庫関連情報を上記駐車管理サーバー装置に要請する。それで、上記駐車管理サーバー装置は予約者の車の状態を確認して出庫状態で予約がされていないことを確認した後駐車可能な施設別予約時間リストを上記運用情報処理装置に送信し、上記運用情報処理装置は、駐車施設別予約時間リストを予約者に提供し、施設及び特定の予約時間を受けて入庫予約要請を上記駐車管理サーバー装置に送信し、上記駐車管理サーバー装置は選択した時間を予約状態に設定し、入庫予約結果を上記駐車管理員端末機、上記運用情報処理装置、上記ディスプレイ装置に送信し、予約時間になると、上記顧客端末機に入庫開始を知らせ、上記駐車管理員端末機に入庫実施要請を送信して予約者に入庫を実行することを伝えれるようにし、上記駐車管理員端末機は入庫完了状態を上記駐車管理サーバーデバイスに送信する（出力状態を更新）。そして、上記駐車管理サーバー装置は、入庫完了の有無に応じて入庫状態を変更し、入庫未実行時、上記運用情報処理装置に予約が終了されたことを知らせ、入庫の実行有無に関係なく、予約時間が終了された場合、上記運用情報処理装置、上記ディスプレイ装置に出庫完了メッセージを送信する。一方、上記駐車管理サーバー装置は、上記選択された時間を予約状態に設定した後、予約時間から設定時間の前に告知するためのタイマーを設定した後、入庫予約応答メッセージを上記運用情報処理装置に送信し、上記タイマー設定時間になると、上記運用情報処理装置に入庫時間から設定時間前であることを知らせるメッセージを送信する。
【００８１】
図１３は、本発明に係る運用情報処理装置（電話予約、訪問予約）による入庫予約キャンセル手続き動作を示す図である。
【００８２】
図１３に示すように、本発明は、まず、運用情報処理装置がログイン状態で車両の入出庫関連情報を上記駐車管理サーバー装置に要請する。それで、上記駐車管理サーバー装置は予約者の車の状態を確認して入庫予約がされていることを確認した後予約情報を上記運用情報処理装置に送信し、上記運用情報処理装置は予約者に予約をキャンセルする理由を受けて上記駐車管理サーバー装置に送信し、上記駐車管理サーバー装置は、キャンセルされた予約時間と資源を再利用するために返還し、結果を上記運用情報処理装置に送信し、予約のキャンセルによる入出庫の予約状態を上記の駐車管理員端末機、上記運用情報処理装置、上記ディスプレイ装置に送信する。
【産業上の利用可能性】
【００８３】
本発明は、駐車システムの車両出庫管理方法に関するもので、より詳細には、タワー式駐車場を運用する管理者または管理システムが入居者の出庫時間を予めモニタリングして、待機者の順番に応じて、待機者がタワー式駐車場に来る前に出庫準備ができるようにし、入居者即ち待機者も本人が駐車したタワー式駐車場の状況を正確にモニタリングして、本人が出庫する前に予め出庫待機をタワー式駐車場の管理者またはシステムに知らせて、待機時間なしに正確に本人の車の出庫時間に合わせてタワー式駐車場に到着することができるようにすることで、機械式タワー式駐車場の不便を解消する駐車システムの車両出庫管理方法に利用可能である。
【符号の説明】
【００８４】
１０１  駐車情報表示端末機
１０２  駐車管理情報処理装置
１０３  顧客端末機
５０１  駐車管理サーバー装置
５０２  顧客端末機
５０３  駐車管理員端末機
５０４  運用情報処理装置
５０５  単位設備ディスプレイ装置
５０６  駐車システムディスプレイ装置
５０７  アプリ配布サーバー
【図１】
2017503252.tif 000003
【図２】
2017503252.tif 000004
【図３】
2017503252.tif 000005
【図４】
2017503252.tif 000006
【図５】
2017503252.tif 000007
【図６】
2017503252.tif 000008
【図７】
2017503252.tif 000009
【図８】
2017503252.tif 000010
【図９】
2017503252.tif 000011
【図１０】
2017503252.tif 000012
【図１１】
2017503252.tif 000013
【図１２】
2017503252.tif 000014
【図１３】
2017503252.tif 000015
【国際調査報告】
2017503252.tif 000016
2017503252.tif 000017
2017503252.tif 000018
2017503252.tif 000019